(57)【要約】  フレックスリジッド配線板として、導体を有するリジッド基板（１１、１２）と、導体を有するフレキシブル基板（１３）とを備える。そして、リジッド基板の表面には、凹部（３００）が形成されており、フレキシブル基板の導体の少なくとも１つと、リジッド基板の導体の少なくとも１つとは、電気的に接続されている。
2010013366.tif 000002
【特許請求の範囲】
【請求項１】
少なくとも１つの導体を有するリジッド基板と、少なくとも１つの導体を有するフレキシブル基板とを備え、
前記リジッド基板の表面に、少なくとも１つの凹部が形成され、
前記フレキシブル基板の導体の少なくとも１つと、前記リジッド基板の導体の少なくとも１つとが電気的に接続されている、
ことを特徴とするフレックスリジッド配線板。
【請求項２】
前記フレキシブル基板の少なくとも一部が、前記リジッド基板に埋め込まれており、該埋め込まれた部分で、前記フレキシブル基板の導体の少なくとも１つと前記リジッド基板の導体の少なくとも１つとが電気的に接続されている、
ことを特徴とする請求項１に記載のフレックスリジッド配線板。
【請求項３】
前記リジッド基板のうち、少なくとも１つの基板は、複数の絶縁層が積層されて形成されている、
ことを特徴とする請求項１に記載のフレックスリジッド配線板。
【請求項４】
前記凹部の少なくとも１つには、電子部品を実装するための接続端子が少なくとも１つ形成されている、
ことを特徴とする請求項１に記載のフレックスリジッド配線板。
【請求項５】
前記凹部の少なくとも１つに形成された前記接続端子には、電子部品が実装されている、
ことを特徴とする請求項４に記載のフレックスリジッド配線板。
【請求項６】
前記電子部品は、フリップチップ接続により、前記接続端子に実装されている、
ことを特徴とする請求項５に記載のフレックスリジッド配線板。
【請求項７】
前記フレキシブル基板は導体パターンを有し、
前記リジッド基板は、前記フレキシブル基板の水平方向に配置され、
前記フレキシブル基板と前記リジッド基板とを被覆し、前記フレキシブル基板の少なくとも一部を露出する絶縁層を備え、
該絶縁層上には、導体パターンが形成されており、
前記フレキシブル基板の導体パターンと前記絶縁層上の導体パターンとはめっき皮膜により接続されている、
ことを特徴とする請求項１に記載のフレックスリジッド配線板。
【請求項８】
少なくとも１つの導体を有するリジッド基板と、少なくとも１つの導体を有するフレキシブル基板とを備え、
複数の前記リジッド基板は、前記フレキシブル基板を挟んで対向配置される対向リジッド基板を少なくとも１組構成し、
前記対向リジッド基板を構成する少なくとも１つのリジッド基板の表面には、少なくとも１つの凹部が形成され、
前記フレキシブル基板の導体の少なくとも１つと、前記リジッド基板の導体の少なくとも１つとが電気的に接続されている、
ことを特徴とするフレックスリジッド配線板。
【請求項９】
前記対向リジッド基板を構成するリジッド基板のうち、一の基板の一方の主面又は表裏両面には、少なくとも１つの凹部が形成されている、
ことを特徴とする請求項８に記載のフレックスリジッド配線板。
【請求項１０】
前記対向リジッド基板を構成するリジッド基板のうち、前記一の基板に対向する他の基板の一方の主面又は表裏両面には、少なくとも１つの凹部が形成されている、
ことを特徴とする請求項９に記載のフレックスリジッド配線板。
【請求項１１】
前記対向リジッド基板を構成するリジッド基板のうち、一の基板の表裏各面には、それぞれ少なくとも１つの凹部が形成されている、
ことを特徴とする請求項８に記載のフレックスリジッド配線板。
【請求項１２】
前記対向リジッド基板を構成するリジッド基板のうち、前記一の基板に対向する他の基板の表裏各面には、それぞれ少なくとも１つの凹部が形成されている、
ことを特徴とする請求項１１に記載のフレックスリジッド配線板。
【請求項１３】
前記フレキシブル基板の少なくとも一部が、前記リジッド基板に埋め込まれており、該埋め込まれた部分で、前記フレキシブル基板の導体の少なくとも１つと前記リジッド基板の導体の少なくとも１つとが電気的に接続されている、
ことを特徴とする請求項８に記載のフレックスリジッド配線板。
【請求項１４】
前記リジッド基板のうち、少なくとも１つの基板には、複数の絶縁層が積層されて形成されている、
ことを特徴とする請求項８に記載のフレックスリジッド配線板。
【請求項１５】
前記凹部の少なくとも１つには、電子部品を実装するための接続端子が少なくとも１つ形成されている、
ことを特徴とする請求項８に記載のフレックスリジッド配線板。
【請求項１６】
前記凹部の少なくとも１つに形成された前記接続端子には、電子部品が実装されている、
ことを特徴とする請求項１５に記載のフレックスリジッド配線板。
【請求項１７】
前記電子部品は、フリップチップ接続により、前記接続端子に実装されている、
ことを特徴とする請求項１６に記載のフレックスリジッド配線板。
【請求項１８】
前記フレキシブル基板は導体パターンを有し、
前記対向リジッド基板は、前記フレキシブル基板の水平方向に配置され、
前記フレキシブル基板と前記リジッド基板とを被覆し、前記フレキシブル基板の少なくとも一部を露出する絶縁層を備え、
該絶縁層上には、導体パターンが形成されており、
前記フレキシブル基板の導体パターンと前記絶縁層上の導体パターンとはめっき皮膜により接続されている、
ことを特徴とする請求項８に記載のフレックスリジッド配線板。
【請求項１９】
少なくとも１つの導体を有するリジッド基板と、少なくとも１つの導体を有するフレキシブル基板とを備え、
複数の前記リジッド基板は、前記フレキシブル基板を挟んで対向配置される対向リジッド基板を少なくとも２組構成し、
前記対向リジッド基板を構成する少なくとも１つのリジッド基板の表面には、少なくとも１つの凹部が形成され、
前記フレキシブル基板の導体の少なくとも１つと、前記リジッド基板の導体の少なくとも１つとが電気的に接続されている、
ことを特徴とするフレックスリジッド配線板。
【請求項２０】
前記対向リジッド基板の少なくとも１つを構成するリジッド基板のうち、一の基板の一方の主面又は表裏両面には、少なくとも１つの凹部が形成されている、
ことを特徴とする請求項１９に記載のフレックスリジッド配線板。
【請求項２１】
前記対向リジッド基板の少なくとも１つを構成するリジッド基板のうち、前記一の基板に対向する少なくとも１つの他の基板の一方の主面又は表裏両面には、少なくとも１つの凹部が形成されている、
ことを特徴とする請求項２０に記載のフレックスリジッド配線板。
【請求項２２】
前記対向リジッド基板の少なくとも１つを構成するリジッド基板のうち、一の基板の表裏各面には、それぞれ少なくとも１つの凹部が形成されている、
ことを特徴とする請求項１９に記載のフレックスリジッド配線板。
【請求項２３】
前記対向リジッド基板の少なくとも１つを構成するリジッド基板のうち、前記一の基板に対向する少なくとも１つの他の基板の表裏各面には、それぞれ少なくとも１つの凹部が形成されている、
ことを特徴とする請求項２２に記載のフレックスリジッド配線板。
【請求項２４】
前記少なくとも２組の対向リジッド基板は、少なくとも２つのリジッド基板が、それぞれ前記フレキシブル基板を挟んで、共通のリジッド基板に対向配置されてなる、
ことを特徴とする請求項１９に記載のフレックスリジッド配線板。
【請求項２５】
前記フレキシブル基板の少なくとも一部が、前記リジッド基板に埋め込まれており、該埋め込まれた部分で、前記フレキシブル基板の導体の少なくとも１つと前記リジッド基板の導体の少なくとも１つとが電気的に接続されている、
ことを特徴とする請求項１９に記載のフレックスリジッド配線板。
【請求項２６】
前記リジッド基板のうち、少なくとも１つの基板には、複数の絶縁層が積層されて形成されている、
ことを特徴とする請求項１９に記載のフレックスリジッド配線板。
【請求項２７】
前記凹部の少なくとも１つには、電子部品を実装するための接続端子が少なくとも１つ形成されている、
ことを特徴とする請求項１９に記載のフレックスリジッド配線板。
【請求項２８】
前記凹部の少なくとも１つに形成された前記接続端子には、電子部品が実装されている、
ことを特徴とする請求項２７に記載のフレックスリジッド配線板。
【請求項２９】
前記電子部品は、フリップチップ接続により、前記接続端子に実装されている、
ことを特徴とする請求項２８に記載のフレックスリジッド配線板。
【請求項３０】
前記フレキシブル基板は導体パターンを有し、
前記対向リジッド基板の少なくとも１組は、前記フレキシブル基板の水平方向に配置され、
前記フレキシブル基板と前記リジッド基板とを被覆し、前記フレキシブル基板の少なくとも一部を露出する絶縁層を備え、
該絶縁層上には、導体パターンが形成されており、
前記フレキシブル基板の導体パターンと前記絶縁層上の導体パターンとはめっき皮膜により接続されている、
ことを特徴とする請求項１９に記載のフレックスリジッド配線板。
【請求項３１】
絶縁層が積層されてなるリジッド基板を備えるフレックスリジッド配線板の製造方法であって、
セパレータを設けた状態で前記絶縁層を積層し、その積層の後、上層の絶縁層ごと前記セパレータを除去することにより、前記リジッド基板の表面に、前記セパレータの形状に対応した形状の凹部を形成する工程を備える、
ことを特徴とするフレックスリジッド配線板の製造方法。
【請求項３２】
前記セパレータの除去に際しては、前記上層の絶縁層の所定部位に切り目を形成し、その切り目により、該上層の絶縁層ごと前記セパレータを他の部分から分離させ、除去する、
ことを特徴とする請求項３１に記載のフレックスリジッド配線板の製造方法。
【発明の詳細な説明】
【技術分野】
【０００１】
本発明は、一部がフレキシブル基板から構成された折り曲げ可能なフレックスリジッド配線板及びその製造方法に関する。
【背景技術】
【０００２】
特許文献１には、リジッド部のコア基板と、コア基板の水平方向に隣接して配置されたフレキシブル基板と、コア基板とフレキシブル基板の上に積層された柔軟性接着剤層と、リジッド部に位置する柔軟性接着剤層上に形成された配線パターンと、各層に形成された配線パターン間を接続するブラインドヴィア及び／又はスルーホールと、を有するフレックスリジッド配線板が開示されている。【０００３】
【特許文献１】日本国特許公開２００６−１４０２１３号公報
【発明の開示】
【発明が解決しようとする課題】
【０００４】
特許文献１に記載される装置では、現在よりもさらに電子デバイス（携帯電話等）の小型化や薄型化が進んだ場合に、対応することができなくなることが懸念される。【０００５】
本発明は、こうした実情に鑑みてなされたものであり、容易に薄型化を図ることができるフレックスリジッド配線板及びその製造方法を提供することを目的とする。また、本発明は、リジッド基板の表面のスペースをより有効に利用することのできるフレックスリジッド配線板及びその製造方法を提供することを他の目的とする。
【課題を解決するための手段】
【０００６】
本発明の第１の観点に係るフレックスリジッド配線板は、少なくとも１つの導体を有するリジッド基板と、少なくとも１つの導体を有するフレキシブル基板とを備え、前記リジッド基板の表面に、少なくとも１つの凹部が形成され、前記フレキシブル基板の導体の少なくとも１つと、前記リジッド基板の導体の少なくとも１つとが電気的に接続されている、ことを特徴とする。【０００７】
前記フレキシブル基板の少なくとも一部が、前記リジッド基板に埋め込まれており、該埋め込まれた部分で、前記フレキシブル基板の導体の少なくとも１つと前記リジッド基板の導体の少なくとも１つとが電気的に接続されている、構成としてもよい。【０００８】
前記リジッド基板のうち、少なくとも１つの基板には、複数の絶縁層が積層されて形成されている、構成としてもよい。【０００９】
前記凹部の少なくとも１つには、電子部品を実装するための接続端子が少なくとも１つ形成されている、構成としてもよい。【００１０】
前記凹部の少なくとも１つに形成された前記接続端子には、電子部品が実装されている、構成としてもよい。【００１１】
前記電子部品は、フリップチップ接続により、前記接続端子に実装されている、構成としてもよい。【００１２】
前記フレキシブル基板は導体パターンを有し、前記リジッド基板は、前記フレキシブル基板の水平方向に配置され、前記フレキシブル基板と前記リジッド基板とを被覆し、前記フレキシブル基板の少なくとも一部を露出する絶縁層を備え、該絶縁層上には、導体パターンが形成されており、前記フレキシブル基板の導体パターンと前記絶縁層上の導体パターンとはめっき皮膜により接続されている、構成としてもよい。【００１３】
本発明の第２の観点に係るフレックスリジッド配線板は、少なくとも１つの導体を有するリジッド基板と、少なくとも１つの導体を有するフレキシブル基板とを備え、複数の前記リジッド基板は、前記フレキシブル基板を挟んで対向配置される対向リジッド基板を少なくとも１組構成し、前記対向リジッド基板を構成する少なくとも１つのリジッド基板の表面には、少なくとも１つの凹部が形成され、前記フレキシブル基板の導体の少なくとも１つと、前記リジッド基板の導体の少なくとも１つとが電気的に接続されている、ことを特徴とする。【００１４】
前記対向リジッド基板を構成するリジッド基板のうち、一の基板の一方の主面又は表裏両面には、少なくとも１つの凹部が形成されている、構成としてもよい。【００１５】
前記対向リジッド基板を構成するリジッド基板のうち、前記一の基板に対向する他の基板の一方の主面又は表裏両面には、少なくとも１つの凹部が形成されている、構成としてもよい。【００１６】
前記対向リジッド基板を構成するリジッド基板のうち、一の基板の表裏各面には、それぞれ少なくとも１つの凹部が形成されている、構成としてもよい。【００１７】
前記対向リジッド基板を構成するリジッド基板のうち、前記一の基板に対向する他の基板の表裏各面には、それぞれ少なくとも１つの凹部が形成されている、構成としてもよい。【００１８】
前記フレキシブル基板の少なくとも一部が、前記リジッド基板に埋め込まれており、該埋め込まれた部分で、前記フレキシブル基板の導体の少なくとも１つと前記リジッド基板の導体の少なくとも１つとが電気的に接続されている、構成としてもよい。【００１９】
前記リジッド基板のうち、少なくとも１つの基板には、複数の絶縁層が積層されて形成されている、構成としてもよい。【００２０】
前記凹部の少なくとも１つには、電子部品を実装するための接続端子が少なくとも１つ形成されている、構成としてもよい。【００２１】
前記凹部の少なくとも１つに形成された前記接続端子には、電子部品が実装されている、構成としてもよい。【００２２】
前記電子部品は、フリップチップ接続により、前記接続端子に実装されている、構成としてもよい。【００２３】
前記フレキシブル基板は導体パターンを有し、前記対向リジッド基板は、前記フレキシブル基板の水平方向に配置され、前記フレキシブル基板と前記リジッド基板とを被覆し、前記フレキシブル基板の少なくとも一部を露出する絶縁層を備え、該絶縁層上には、導体パターンが形成されており、前記フレキシブル基板の導体パターンと前記絶縁層上の導体パターンとはめっき皮膜により接続されている、構成としてもよい。【００２４】
本発明の第３の観点に係るフレックスリジッド配線板は、少なくとも１つの導体を有するリジッド基板と、少なくとも１つの導体を有するフレキシブル基板とを備え、複数の前記リジッド基板は、前記フレキシブル基板を挟んで対向配置される対向リジッド基板を少なくとも２組構成し、前記対向リジッド基板を構成する少なくとも１つのリジッド基板の表面には、少なくとも１つの凹部が形成され、前記フレキシブル基板の導体の少なくとも１つと、前記リジッド基板の導体の少なくとも１つとが電気的に接続されている、ことを特徴とする。【００２５】
前記対向リジッド基板の少なくとも１つを構成するリジッド基板のうち、一の基板の一方の主面又は表裏両面には、少なくとも１つの凹部が形成されている、構成としてもよい。【００２６】
前記対向リジッド基板の少なくとも１つを構成するリジッド基板のうち、前記一の基板に対向する少なくとも１つの他の基板の一方の主面又は表裏両面には、少なくとも１つの凹部が形成されている、構成としてもよい。【００２７】
前記対向リジッド基板の少なくとも１つを構成するリジッド基板のうち、一の基板の表裏各面には、それぞれ少なくとも１つの凹部が形成されている、構成としてもよい。【００２８】
前記対向リジッド基板の少なくとも１つを構成するリジッド基板のうち、前記一の基板に対向する少なくとも１つの他の基板の表裏各面には、それぞれ少なくとも１つの凹部が形成されている、構成としてもよい。【００２９】
前記少なくとも２組の対向リジッド基板は、少なくとも２つのリジッド基板が、それぞれ前記フレキシブル基板を挟んで、共通のリジッド基板に対向配置されてなる、構成としてもよい。【００３０】
前記フレキシブル基板の少なくとも一部が、前記リジッド基板に埋め込まれており、該埋め込まれた部分で、前記フレキシブル基板の導体の少なくとも１つと前記リジッド基板の導体の少なくとも１つとが電気的に接続されている、構成としてもよい。【００３１】
前記リジッド基板のうち、少なくとも１つの基板には、複数の絶縁層が積層されて形成されている、構成としてもよい。【００３２】
前記凹部の少なくとも１つには、電子部品を実装するための接続端子が少なくとも１つ形成されている、構成としてもよい。【００３３】
前記凹部の少なくとも１つに形成された前記接続端子には、電子部品が実装されている、構成としてもよい。【００３４】
前記電子部品は、フリップチップ接続により、前記接続端子に実装されている、構成としてもよい。【００３５】
前記フレキシブル基板は導体パターンを有し、前記対向リジッド基板の少なくとも１組は、前記フレキシブル基板の水平方向に配置され、前記フレキシブル基板と前記リジッド基板とを被覆し、前記フレキシブル基板の少なくとも一部を露出する絶縁層を備え、該絶縁層上には、導体パターンが形成されており、前記フレキシブル基板の導体パターンと前記絶縁層上の導体パターンとはめっき皮膜により接続されている、構成としてもよい。【００３６】
本発明の第４の観点に係るフレックスリジッド配線板の製造方法は、絶縁層が積層されてなるリジッド基板を備えるフレックスリジッド配線板の製造方法であって、セパレータを設けた状態で前記絶縁層を積層し、その積層の後、上層の絶縁層ごとセパレータを除去することにより、該リジッド基板の表面に、前記セパレータの形状に対応した形状の凹部を形成する工程を備える、ことを特徴とする。【００３７】
前記セパレータの除去に際しては、前記上層の絶縁層の所定部位に切り目を形成し、その切り目により、該上層の絶縁層ごと前記セパレータを他の部分から分離させ、除去する、ようにしてもよい。
【発明の効果】
【００３８】
本発明によれば、容易に薄型化を図ることができるフレックスリジッド配線板及びその製造方法を提供することができる。また、本発明によれば、リジッド基板の表面のスペースをより有効に利用することのできるフレックスリジッド配線板及びその製造方法を提供することができる場合もある。
【図面の簡単な説明】
【００３９】
【図１Ａ】図１Ａは、本発明の一実施形態に係るフレックスリジッド配線板の側面図である。
【図１Ｂ】図１Ｂは、本発明の一実施形態に係るフレックスリジッド配線板の平面図である。
【図２】図２は、フレキシブル基板の断面図である。
【図３】図３は、フレックスリジッド配線板の断面図である。
【図４】図４は、図１Ａの一部拡大図である。
【図５】図５は、複数の製品に共通するウェーハから、フレキシブル基板を切り出す工程を説明するための図である。
【図６】図６は、複数の製品に共通するウェーハから、第１及び第２の絶縁層を切り出す工程を説明するための図である。
【図７】図７は、複数の製品に共通するウェーハから、セパレータを切り出す工程を説明するための図である。
【図８】図８は、リジッド基板のコアを作製する工程を説明するための図である。
【図９Ａ】図９Ａは、第１層を形成する工程を説明するための図である。
【図９Ｂ】図９Ｂは、第１層を形成する工程を説明するための図である。
【図９Ｃ】図９Ｃは、第１層を形成する工程を説明するための図である。
【図９Ｄ】図９Ｄは、第１層を形成する工程を説明するための図である。
【図９Ｅ】図９Ｅは、第１層を形成する工程を説明するための図である。
【図９Ｆ】図９Ｆは、第１層を形成する工程を説明するための図である。
【図１０Ａ】図１０Ａは、第２層を形成する工程を説明するための図である。
【図１０Ｂ】図１０Ｂは、第２層を形成する工程を説明するための図である。
【図１０Ｃ】図１０Ｃは、第２層を形成する工程を説明するための図である。
【図１０Ｄ】図１０Ｄは、第２層を形成する工程を説明するための図である。
【図１１】図１１は、複数の製品に共通するウェーハから、第３及び第４の上層絶縁層を切り出す工程を説明するための図である。
【図１２】図１２は、複数の製品に共通するウェーハから、セパレータを切り出す工程を説明するための図である。
【図１３Ａ】図１３Ａは、第３層を形成する工程を説明するための図である。
【図１３Ｂ】図１３Ｂは、第３層を形成する工程を説明するための図である。
【図１３Ｃ】図１３Ｃは、第３層を形成する工程を説明するための図である。
【図１３Ｄ】図１３Ｄは、第３層を形成する工程を説明するための図である。
【図１４Ａ】図１４Ａは、第４層を形成する工程を説明するための図である。
【図１４Ｂ】図１４Ｂは、第４層を形成する工程を説明するための図である。
【図１４Ｃ】図１４Ｃは、第４層を形成する工程を説明するための図である。
【図１４Ｄ】図１４Ｄは、第４層を形成する工程を説明するための図である。
【図１４Ｅ】図１４Ｅは、第４層を形成する工程を説明するための図である。
【図１５Ａ】図１５Ａは、凹部を形成する工程を説明するための図である。
【図１５Ｂ】図１５Ｂは、凹部形成後の状態を示す図である。
【図１５Ｃ】図１５Ｃは、凹部形成時に残存した銅を取り除いた後の状態を示す図である。
【図１６】図１６は、フレックスリジッド配線板の変形例を説明するための図である。
【図１７】図１７は、凹部に電子部品の配置されたフレックスリジッド配線板を示す図である。
【図１８Ａ】図１８Ａは、電子部品の実装態様の変形例を示す図である。
【図１８Ｂ】図１８Ｂは、電子部品の実装態様の変形例を示す図である。
【図１９Ａ】図１９Ａは、フレックスリジッド配線板の変形例を説明するための図である。
【図１９Ｂ】図１９Ｂは、フレックスリジッド配線板の変形例を説明するための図である。
【図１９Ｃ】図１９Ｃは、フレックスリジッド配線板の変形例を説明するための図である。
【図２０】図２０は、フレックスリジッド配線板の変形例を説明するための図である。
【図２１Ａ】図２１Ａは、フレックスリジッド配線板の変形例を説明するための図である。
【図２１Ｂ】図２１Ｂは、フレックスリジッド配線板の変形例を説明するための図である。
【符号の説明】
【００４０】
１０  フレックスリジッド配線板
１１、１２、１０１乃至１０３  リジッド基板
１３、１０４、１０５  フレキシブル基板
１１１、１１３  絶縁層
１１４、１１５、１４４、１４５、１７２、１７３  上層絶縁層
１１６、１１９、１２１、１４１、１４６、１４７、１７４、１７５  ヴィア
１１７、１４２  配線パターン
１１８、１４３  引き出しパターン
１２０、１２２、１４８、１４９  導体
１２３、１２４、１５０、１５１、１７６、１７７  導体パターン
１２５  樹脂
１３１  基材
１３２、１３３  導体層
１３４、１３５  絶縁層
１３６、１３７  シールド層
１３８、１３９  カバーレイ
１８０  接続端子
２９１、２９３  セパレータ
２９２、２９４ａ乃至２９４ｃ、２９５ａ、２９５ｂ  カットライン（切り目）
３００、３００ａ乃至３００ｃ  凹部（キャビティ）
５００  電子部品
１００１、１００２  対向リジッド基板
【発明を実施するための最良の形態】
【００４１】
以下、本発明の一実施形態に係るフレックスリジッド配線板及びその製造方法について説明する。【００４２】
本実施形態に係るフレックスリジッド配線板１０は、図１Ａ及び図１Ｂに示すように、大きくは、第１のリジッド基板１１及び第２のリジッド基板１２と、フレキシブル基板１３と、から構成され、第１のリジッド基板１１と第２のリジッド基板１２とは、フレキシブル基板１３を挟んで対向配置されている。詳しくは、第１及び第２のリジッド基板１１及び１２は、フレキシブル基板１３の水平方向に配置されている。【００４３】
第１及び第２のリジッド基板１１、１２には、それぞれ任意の回路パターンが形成されている。また、必要に応じて、例えば、半導体チップなどの電子部品などが接続される。一方、フレキシブル基板１３には、第１のリジッド基板１１の回路パターンと第２のリジッド基板１２の回路パターンとを接続するためのストライプ状の配線パターン１３ａが形成されている。配線パターン１３ａは、リジッド基板１１、１２の回路パターン同士を接続する。【００４４】
フレキシブル基板１３は、図２にその詳細構造を示すように、基材１３１と、導体層１３２及び１３３と、絶縁層１３４及び１３５と、シールド層１３６及び１３７と、カバーレイ１３８及び１３９と、が積層された構造を有する。【００４５】
基材１３１は、絶縁性フレキシブルシート、例えば厚さ「２０〜５０μｍ」、望ましくは「３０μｍ」程度の厚さのポリイミドシートから構成される。【００４６】
導体層１３２及び１３３は、例えば厚さ「５〜１５μｍ」程度の銅パターンからなり、基材１３１の表裏にそれぞれ形成されることにより、上述のストライプ状の配線パターン１３ａ（図１Ｂ）を構成する。【００４７】
絶縁層１３４及び１３５は、厚さ「５〜１５μｍ」程度のポリイミド膜などから構成され、導体層１３２及び１３３を外部から絶縁する。【００４８】
シールド層１３６及び１３７は、導電層、例えば銀ペーストの硬化被膜から構成され、外部から導体層１３２及び１３３への電磁ノイズ及び導体層１３２、１３３から外部への電磁ノイズをシールドする。【００４９】
カバーレイ１３８及び１３９は、厚さ「５〜１５μｍ」程度の、ポリイミド等の絶縁膜から形成され、フレキシブル基板１３全体を外部から絶縁すると共に保護する。【００５０】
一方、リジッド基板１１及び１２は、それぞれ図３に示すように、リジッド基材１１２と、第１及び第２の絶縁層１１１及び１１３と、第１及び第２の上層絶縁層１４４及び１１４と、第３及び第４の上層絶縁層１４５及び１１５と、第５及び第６の上層絶縁層１７２及び１７３と、が積層されて構成されている。【００５１】
リジッド基材１１２は、リジッド基板１１及び１２に剛性を与えるものであり、ガラスエポキシ樹脂等のリジッド絶縁材料から構成される。リジッド基材１１２は、フレキシブル基板１３と水平方向に離間して配置されている。リジッド基材１１２は、フレキシブル基板１３とほぼ同一の厚さを有する。また、リジッド基材１１２の表裏には、それぞれ例えば銅からなる導体パターン１１２ａ、１１２ｂが形成されている。これら導体パターン１１２ａ及び１１２ｂは、それぞれ所定の箇所で、より上層の導体（配線）と電気的に接続されている。【００５２】
第１及び第２の絶縁層１１１及び１１３は、プリプレグを硬化して構成されている。第１及び第２の絶縁層１１１及び１１３は、それぞれ「５０〜１００μｍ」、望ましくは「５０μｍ」程度の厚さを有する。なお、プリプレグは、樹脂がローフロー特性を有することが望ましい。このようなプリプレグは、エポキシ樹脂をガラスクロスに含侵させた後、樹脂を熱硬化させ、予め硬化度を進めておくことで作成することができる。もっとも、ガラスクロスに粘度の高い樹脂を含侵させたり、ガラスクロスに無機フィラー（例えばシリカフィラー）を含む樹脂を含侵させたり、ガラスクロスの樹脂含侵量を減らしたりすることによっても、プリプレグを作成することは可能である。【００５３】
リジッド基材１１２、並びに第１及び第２の絶縁層１１１及び１１３は、リジッド基板１１及び１２のコアを構成し、リジッド基板１１及び１２を支持すると共にフレキシブル基板１３の一端を挟み込んで支持及び固定する。具体的には、図４に図１Ａ中の領域Ｒ１１（第１のリジッド基板１１とフレキシブル基板１３との接合部分）を拡大して示すように、第１及び第２の絶縁層１１１及び１１３が、リジッド基材１１２とフレキシブル基板１３とを表裏両側から被覆するとともに、フレキシブル基板１３の一部を露出している。これら第１及び第２の絶縁層１１１及び１１３は、フレキシブル基板１３の表面に設けられたカバーレイ１３８及び１３９と重合している。【００５４】
なお、リジッド基板１２とフレキシブル基板１３との接続部分の構造は、リジッド基板１１とフレキシブル基板１３との接続部分の構造（図４）と同様であるため、ここでは、リジッド基板１２の接続部分についてはその詳細の説明を割愛する。【００５５】
リジッド基材１１２と、フレキシブル基板１３と、第１及び第２の絶縁層１１１及び１１３と、により区画される空間（それら部材間の空隙）には、図４に示すように、樹脂１２５が充填されている。樹脂１２５は、例えば製造時に、第１及び第２の絶縁層１１１及び１１３を構成するローフロープリプレグからしみだしたものであり、第１及び第２の絶縁層１１１及び１１３と一体に硬化されている。【００５６】
第１及び第２の絶縁層１１１及び１１３の、フレキシブル基板１３の導体層１３２及び１３３の接続パッド１３ｂにそれぞれ対向する各部分には、ヴィア（コンタクトホール）１４１、１１６が形成されている。フレキシブル基板１３のうち、ヴィア１４１及び１１６にそれぞれ対向する各部分（図１Ｂに示す接続パッド１３ｂが形成されている部分）は、フレキシブル基板１３のシールド層１３６及び１３７、並びにカバーレイ１３８及び１３９が除去されている。ヴィア１４１及び１１６は、フレキシブル基板１３の絶縁層１３４及び１３５をそれぞれ貫通して、導体層１３２、１３３からなる各接続パッド１３ｂを露出している。【００５７】
ヴィア１４１及び１１６の各内面には、それぞれ銅めっき等で形成された配線パターン（導体層）１４２、１１７が形成されている。これら配線パターン１４２及び１１７のめっき皮膜は、それぞれフレキシブル基板１３の導体層１３２、１３３の各接続パッド１３ｂに接続されている。また、ヴィア１４１及び１１６には、それぞれ樹脂が充填されている。これらヴィア１４１及び１１６内の樹脂は、例えばプレスにより上層絶縁層（上層絶縁層１４４、１１４）の樹脂が押し出されることにより充填される。さらに、第１及び第２の絶縁層１１１及び１１３の各上面には、それぞれ配線パターン１４２、１１７に接続された引き出しパターン１４３、１１８が形成されている。これら引き出しパターン１４３及び１１８は、それぞれ例えば銅めっき層から構成される。また、第１及び第２の絶縁層１１１及び１１３の各フレキシブル基板１３側端部、すなわちフレキシブル基板１３とリジッド基材１１２との境界よりもフレキシブル基板１３側の位置には、それぞれ他から絶縁された導体パターン１５１、１２４が配置されている。これら導体パターン１５１及び１２４により、リジッド基板１１内で発生した熱を、効果的に放熱することができる。【００５８】
このように、本実施形態に係るフレックスリジッド配線板１０では、リジッド基板１１、１２とフレキシブル基板１３とが、コネクタによらず、電気的に接続されている。すなわち、フレキシブル基板１３がリジッド基板１１、１２の各々に入り込む（埋め込まれる）ことにより、その入り込んだ部分（埋め込まれた部分）で、フレキシブル基板１３が、各リジッド基板にそれぞれ電気的に接続されている（図４参照）。このため、落下等により衝撃を受けた場合でも、コネクタが抜けて接触不良が生じることはない。【００５９】
また、フレキシブル基板の一部がリジッド基板に埋め込まれているため、フレキシブル基板とリジッド基板が電気的に接続されている箇所の表裏両面を、リジッド基板が接着、補強しており、フレックスリジッド配線板が落下に衝撃を受けた場合、あるいは温度環境が変化してリジッド基板とフレキシブル基板のCTE（熱線膨張率）の差によって応力が発生した場合でも、フレキシブル基板とリジッド基板の電気的な接続が確保できる。【００６０】
この意味で、フレックスリジッド配線板１０は、コネクタ接続の基板に比べて、より信頼性の高い電気的接続を有する。【００６１】
また、フレキシブル基板１３の導体層１３２、１３３とリジッド基板１１、１２の配線パターン１４２、１１７とは、テーパ状のヴィアにより接続されていることで、基板表面に直交する方向に延びるスルーホールによる接続に比べて、衝撃を受けたときに応力が分散され、クラック等が発生しにくい。しかも、これら導体層１３２、１３３と配線パターン１４２、１１７とは、めっき皮膜により接続されていることで、接続部分の信頼性が高い。さらに、ヴィア１４１及び１１６内にそれぞれ樹脂が充填されることで、接続信頼性が高められている。【００６２】
第１及び第２の絶縁層１１１及び１１３の各上面には、それぞれ第１、第２の上層絶縁層１４４、１１４が積層されている。第１、第２の上層絶縁層１４４、１１４には、引き出しパターン１４３、１１８にそれぞれ接続されるヴィア（第１の上層ヴィア）１４６、１１９が、それぞれ形成されている。さらに、これらヴィア１４６、１１９には、それぞれ例えば銅からなる導体１４８、１２０が充填されている。なお、第１及び第２の上層絶縁層１４４及び１１４は、それぞれ例えば樹脂をガラスクロス等に含浸したプリプレグを硬化して構成される。【００６３】
第１及び第２の上層絶縁層１４４及び１１４の各上面には、それぞれ第３、第４の上層絶縁層１４５、１１５が積層されている。これら第３及び第４の上層絶縁層１４５及び１１５も、それぞれ例えば樹脂をガラスクロス等に含浸したプリプレグを硬化して構成される。第３、第４の上層絶縁層１４５、１１５には、ヴィア１４６、１１９にそれぞれ接続するヴィア（第２の上層ヴィア）１４７、１２１が、それぞれ形成されている。これらヴィア１４７、１２１には、それぞれ例えば銅からなる導体１４９、１２２が充填されており、これら導体１４９、１２２は、それぞれ導体１４８、１２０と電気的に接続されている。こうして、ヴィア１４６及び１４７、並びに１１９及び１２１により、フィルド・ビルドアップ・ヴィアが形成されている。【００６４】
第３及び第４の上層絶縁層１４５及び１１５の各上面には、それぞれ導体パターン（回路パターン）１５０、１２３が形成されている。そして、この導体パターン１５０、１２３の所定箇所に、それぞれヴィア１４７、１２１が接続されることにより、配線パターン１１７、引き出しパターン１１８、導体１２０、及び導体１２２を介して、導体層１３３と導体パターン１２３とが、また、配線パターン１４２、引き出しパターン１４３、導体１４８、及び導体１４９を介して、導体層１３２と導体パターン１５０とが、それぞれ電気的に接続されている。【００６５】
第３及び第４の上層絶縁層１４５及び１１５の各上面には、さらに図３に示すように、それぞれ第５、第６の上層絶縁層１７２、１７３が積層されている。これら第５及び第６の上層絶縁層１７２及び１７３も、それぞれ例えば樹脂をガラスクロス等に含浸したプリプレグを硬化して構成される。【００６６】
第５、第６の上層絶縁層１７２、１７３には、ヴィア１４７、１２１にそれぞれ接続するヴィア１７４、１７５がそれぞれ形成されている。そして、これらヴィア１７４、１７５内を含めて、基板の表裏に、例えば銅からなる導体パターン１７６、１７７がそれぞれ形成されている。これら導体パターン１７６、１７７は、それぞれ導体１４９、１２２と電気的に接続されている。さらに、基板表裏には、それぞれパターニングされたソルダレジスト２９８、２９９が設けられており、導体パターン１７６、１７７の所定箇所に、それぞれ例えば化学金めっきにより電極１７８、１７９が形成されている。【００６７】
加えて、フレックスリジッド配線板１０の表面、特にリジッド基板１２の表面には、所定の寸法（長さ・幅及び深さ）、例えばＩＣ（集積回路）チップ等の電子部品を収納可能な程度の寸法を有する凹部（キャビティ）３００が形成されている。こうした凹部３００を基板表面に形成することで、凹部３００内に、自由に使用可能なスペースが生成される。このスペースには、例えばフレックスリジッド配線板１０に電気的に接続される部品、あるいは他の基板に電気的に接続される部品などを配置することができる。このため、フレックスリジッド配線板１０を、例えば携帯電話の基板として用いた場合には、電話機本体の薄型化や多機能化に貢献することができる。もっとも、凹部３００内のスペースの用途は任意であり、例えば段差を利用して位置決めをするなど、別の用途で用いるようにしてもよい。【００６８】
こうしたフレックスリジッド配線板１０の製造に際しては、まず、フレキシブル基板１３（図２）を製造する。具体的には、所定サイズに加工したポリイミド基材１３１の両面に銅膜を形成する。続けて、銅膜をパターニングすることにより、配線パターン１３ａ及び接続パッド１３ｂを備える導体層１３２及び１３３を形成する。そして、導体層１３２、１３３の各表面に、それぞれ積層するかたちで、例えばポリイミドからなる絶縁層１３４、１３５を形成する。さらに、これら絶縁層１３４及び１３５には、フレキシブル基板１３の端部を除いて銀ペーストを塗布し、その塗布した銀ペーストを硬化して、シールド層１３６、１３７を形成する。続けて、それらシールド層１３６、１３７の各表面を覆うように、カバーレイ１３８及び１３９を形成する。なお、シールド層１３６、１３７とカバーレイ１３８、１３９とは、接続パッド１３ｂを避けて形成される。【００６９】
こうした一連の工程を経て、先の図２に示した積層構造を有するウェーハが完成する。このウェーハは、複数の製品に共通する材料として用いられる。すなわち、図５に示すように、このウェーハを、例えばレーザ等により所定の大きさに切断（カット）することにより、所定の大きさのフレキシブル基板１３が得られる。【００７０】
次に、こうして作製されたフレキシブル基板１３と、第１及び第２のリジッド基板１１及び１２の各リジッド基板とを接合する。この接合にあたっては、例えば図６に示すように、複数の製品に共通するウェーハを、例えばレーザ等により切断して、所定の大きさの、第１及び第２の絶縁層１１１及び１１３を用意しておく。また、例えば図７に示すように、複数の製品に共通するウェーハを、例えばレーザ等により切断して、所定の大きさのセパレータ２９１を用意しておく。【００７１】
また、リジッド基板１１及び１２のコアとなるリジッド基材１１２も、例えば図８に示すように、複数の製品に共通するウェーハ１１０から作製する。すなわち、ウェーハ１１０の表裏に、それぞれ例えば銅からなる導体膜１１０ａ、１１０ｂを形成した後、例えば所定のリソグラフィ工程（前処理、ラミネート、露光、現像、エッチング、剥膜、内層検査等）を経ることによりそれら導体膜１１０ａ、１１０ｂをそれぞれパターニングして、導体パターン１１２ａ、１１２ｂを形成する。続けて、例えばレーザ等により、ウェーハ１１０の所定の部分を除去して、リジッド基板１１及び１２のリジッド基材１１２を得る。その後、こうして作製されたリジッド基材１１２の導体パターン表面を処理して粗化面を形成する。【００７２】
なお、リジッド基材１１２は、例えば「５０〜１５０μｍ」、望ましくは「１００μｍ」程度の厚さのガラスエポキシ基材から構成され、第１及び第２の絶縁層１１１及び１１３は、例えば「２０〜５０μｍ」の厚さのプリプレグから構成される。また、セパレータ２９１は、例えば硬化したプリプレグ、又はポリイミドフィルム等から構成される。第１及び第２の絶縁層１１１及び１１３の厚さは、例えばリジッド基板１１及び１２をその表裏で対照的な構造とすべく、同程度の厚さに設定する。セパレータ２９１の厚さは、第２の絶縁層１１３の厚さと同程度に設定する。また、リジッド基材１１２の厚さと、フレキシブル基板１３の厚さとは、概ね同じであることが望ましい。こうすることで、リジッド基材１１２とカバーレイ１３８及び１３９との間に存在する空隙に、樹脂１２５が充填され、フレキシブル基板１３とリジッド基材１１２とを、より確実に接合することができるようになる。【００７３】
続けて、図５、図６、及び図８の工程にてカットした第１及び第２の絶縁層１１１及び１１３、リジッド基材１１２、並びにフレキシブル基板１３を位置合わせして、例えば図９Ａに示すように配置する。このとき、フレキシブル基板１３の各端部は、第１及び第２の絶縁層１１１及び１１３の間に挟み込んで位置合わせする。【００７４】
さらに、例えば図９Ｂに示すように、図７の工程にてカットしたセパレータ２９１を、リジッド基板１１とリジッド基板１２との間に露出するフレキシブル基板１３の片面（例えば上方）に、第２の絶縁層１１３と並べて配置し、その外側に（表裏にそれぞれ）、例えば銅からなる導体膜１６１、１６２を配置する。セパレータ２９１は、例えば接着剤により固定する。こうした構造であれば、セパレータ２９１が導体膜１６２を支持するため、フレキシブル基板１３と導体膜１６２との間の空隙にめっき液が滲入して銅箔が破れるなどの問題を防止又は抑制することができる。【００７５】
次に、こうして位置合わせした状態（図９Ｂ）で、この構造体を、例えば図９Ｃに示すように、加圧プレスする。このとき、第１及び第２の絶縁層１１１及び１１３を構成する各プリプレグからそれぞれ樹脂１２５が押し出され、先の図４に示したように、この樹脂１２５により、リジッド基材１１２とフレキシブル基板１３との間の空隙が充填される。このように、樹脂１２５が空隙に充填されることで、フレキシブル基板１３とリジッド基材１１２とが確実に接着される。こうした加圧プレスは、例えばハイドロプレス装置を用いて、温度摂氏「２００度」、圧力「４０ｋｇｆ」、加圧時間「３ｈｒ」程度の条件で行う。【００７６】
続けて、全体を加熱する等して、第１及び第２の絶縁層１１１及び１１３を構成するプリプレグ及び樹脂１２５を硬化し、一体化する。このとき、フレキシブル基板１３のカバーレイ１３８及び１３９（図４）と、第１及び第２の絶縁層１１１及び１１３の樹脂とは重合する。絶縁層１１１及び１１３の樹脂が重合することで、ヴィア１４１及び１１６（後工程で形成）の周囲が樹脂で固定され、ヴィア１４１と導体層１３２（又はヴィア１１６と導体層１３３）の各接続部位の接続信頼性が向上する。【００７７】
次に、例えば所定の前処理の後、例えばＣＯ２レーザ加工装置からＣＯ２レーザを照射することにより、図９Ｄに示すように、貫通孔１６３を形成する。このとき、フレキシブル基板１３（図４）の導体層１３２、１３３とリジッド基板１１、１２とをそれぞれ接続するためのヴィア１１６、１４１（例えばIVH（Interstitial Via Hole））も形成する。【００７８】
続けて、デスミア（スミア除去）、ソフトエッチをした後、例えば図９Ｅに示すように、ＰＮめっき（例えば化学銅めっき及び電気銅めっき）をすることにより、構造体全体の表面に銅めっきを施す。この銅めっきによる銅と既存の導体膜１６１、１６２とが一体になって、ヴィア１１６及び１４１内並びに貫通孔１６３内も含め、基板全体の表面に銅膜１７１が形成される。このとき、フレキシブル基板１３は、導体膜１６１及び１６２で覆われており、めっき液に直接触れない。したがって、フレキシブル基板１３がめっき液によってダメージを受けることはない。【００７９】
続けて、例えば所定のリソグラフィ工程（前処理、ラミネート、露光、現像、エッチング、剥膜、内層検査等）を経ることにより、図９Ｆに示すように、基板表面の銅膜１７１をパターニングする。これにより、フレキシブル基板１３（図４）の導体層１３２、１３３にそれぞれ接続される配線パターン１４２、１１７及び引き出しパターン１４３、１１８、さらには導体パターン１５１、１２４が形成される。この際、第１及び第２の絶縁層１１１及び１１３の各フレキシブル基板１３側端部には、それぞれ銅箔を残存させる。そしてその後、銅箔表面を処理して粗化面を形成する。【００８０】
続けて、例えば図１０Ａに示すように、その結果物の表裏に、それぞれ第１、第２の上層絶縁層１４４、１１４を配置し、さらにその外側に、例えば銅からなる導体膜１１４ａ、１４４ａを配置する。続けて、図１０Ｂに示すように、この構造体を加圧プレスする。このとき、第１及び第２の上層絶縁層１１４及び１４４を構成する各プリプレグからの樹脂によりヴィア１１６及び１４１が充填される。そしてその後、例えば加熱処理等により、プリプレグ及びヴィア内の樹脂を硬化して、第１及び第２の上層絶縁層１４４及び１１４を固化する。【００８１】
続けて、例えばハーフエッチにより、所定の厚さまで導体膜１１４ａ及び１４４ａをそれぞれ薄膜化する。そして、所定の前処理の後、例えばレーザにより、第１の上層絶縁層１４４にヴィア１４６を、また第２の上層絶縁層１１４にヴィア１１９及びカットライン２９２を、それぞれ形成し、デスミア（スミア除去）、ソフトエッチをした後、例えば図１０Ｃに示すように、ＰＮめっき（例えば化学銅めっき及び電気銅めっき）をすることにより、それらヴィア１４６及び１１９内、並びにカットライン２９２内に、導体を形成する。なお、この導体は、導電ペースト（例えば導電粒子入り熱硬化樹脂）を、例えばスクリーン印刷法で印刷することによっても形成することができる。【００８２】
続けて、例えばハーフエッチにより、所定の厚さまで基板表面の導体膜を薄くし、その後、例えば所定のリソグラフィ工程（前処理、ラミネート、露光、現像、エッチング、剥膜、内層検査等）を経ることにより、図１０Ｄに示すように、基板表面の導体膜をパターニングする。これにより、導体１４８及び１２０が形成される。また、カットライン２９２内の導体は、エッチングにより除去される。続けて、そしてその後、導体表面を処理して粗化面を形成する。【００８３】
ここで、次の工程の説明の前に、その工程に先立って行われる工程について説明する。すなわち、次の工程に先立ち、図１１に示すように、複数の製品に共通するウェーハを、例えばレーザ等により切断して、所定の大きさの第３及び第４の上層絶縁層１４５及び１１５を形成しておく。また、セパレータ２９３についても、複数の製品に共通するウェーハを、例えばレーザ等により切断することで、図１２に示すように、所定の大きさのものを形成しておく。なお、セパレータ２９３は、例えば硬化したプリプレグ、ポリイミドフィルム等から構成される。【００８４】
そして、続く工程では、図１３Ａに示すように、基板表裏に、図１１及び図１２の工程にてカットした第３及び第４の上層絶縁層１４５及び１１５、並びにセパレータ２９３を配置し、その外側に（表裏にそれぞれ）、例えば銅からなる導体膜１４５ａ、１１５ａを配置する。その後、例えば加熱などして、第３及び第４の上層絶縁層１４５及び１１５を固化する。なお、第３及び第４の上層絶縁層１４５及び１１５は、それぞれ例えばガラスクロスに樹脂を含浸して構成された通常のプリプレグから構成される。【００８５】
続けて、図１３Ｂに示すように、結果物を、プレスする。その後、例えばハーフエッチにより、所定の厚さまで導体膜１４５ａ及び１１５ａをそれぞれ薄膜化する。そして、所定の前処理の後、例えばレーザにより、第３及び第４の上層絶縁層１４５、１１５にそれぞれヴィア１４７、１２１を形成し、デスミア（スミア除去）、ソフトエッチをした後、例えば図１３Ｃに示すように、ＰＮめっき（例えば化学銅めっき及び電気銅めっき）をすることにより、それらヴィア１４７及び１２１内を導体で充填する。このように、ヴィア１４７及び１２１の内部を同一の導電ペースト材料で充填することで、ヴィア１４７及び１２１の熱応力がかかった際の接続信頼性を向上させることができる。なお、この導体は、導電ペースト（例えば導電粒子入り熱硬化樹脂）を、例えばスクリーン印刷法で印刷することによっても形成することができる。【００８６】
続けて、図１３Ｄに示すように、例えばハーフエッチにより、所定の厚さまで基板表面の導体膜を薄くし、その後、例えば所定のリソグラフィ工程（前処理、ラミネート、露光、現像、エッチング、剥膜、内層検査等）を経ることにより、基板表面の銅膜をパターニングする。これにより、導体１４９及び１２２、並びに導体パターン１５０及び１２３が形成される。その後、結果物を黒化処理する。【００８７】
続けて、図１４Ａに示すように、結果物の表裏に、第５及び第６の上層絶縁層１７２及び１７３を配置し、その外側に（表裏にそれぞれ）、例えば銅からなる導体膜１７２ａ及び１７３ａを配置する。なお、第５及び第６の上層絶縁層１７２及び１７３は、それぞれ例えばガラスクロスに樹脂を含浸して構成されたプリプレグから構成される。【００８８】
続けて、図１４Ｂに示すように、プレスする。その後、例えばハーフエッチにより、所定の厚さまで導体膜１７２ａ及び１７３ａをそれぞれ薄膜化する。そして、所定の前処理の後、レーザ光などにより、第５、第６の上層絶縁層１７２、１７３にそれぞれヴィア１７４、１７５を形成するとともに、図１４Ｃに示すように、図１４Ｂ中に破線にて示す各部の絶縁層、すなわちセパレータ２９１の端部（第２の絶縁層１１３とセパレータ２９１の境界部分）及びセパレータ２９３の端部（第４の上層絶縁層１１５とセパレータ２９３との境界部分）の絶縁層を除去して、カットライン（切り目）２９４ａ乃至２９４ｃ、２９５ａ、及び２９５ｂを形成する。このとき、カットライン２９４ａ乃至２９４ｃは、例えば導体パターン１５１及び１２４をストッパとして、形成（カット）する。また、カットライン２９５ａ及び２９５ｂは、例えば導体パターン１２３をストッパとして、形成する。この際、ストッパとして使用する導体パターン１２３、１２４、及び１５１を、ある程度カットするようにエネルギー又は照射時間を調整することもできる。【００８９】
続けて、ＰＮめっき（例えば化学銅めっき及び電気銅めっき）をすることにより、ヴィア１７４及び１７５内も含め、基板全体の表面に導体を形成する。続けて、例えばハーフエッチにより、所定の厚さまで基板表面の導体膜を薄くし、その後、例えば所定のリソグラフィ工程（前処理、ラミネート、露光、現像、エッチング、剥膜等）を経ることにより、基板表面の銅箔をパターニングする。こうして、図１４Ｄに示すように、導体パターン１７６及び１７７を形成する。そして、パターン形成後、そのパターンを検査する。【００９０】
続けて、例えばスクリーン印刷により、基板全体の表面にソルダレジストを形成し、図１４Ｅに示すように、所定のリソグラフィ工程を経ることにより、そのソルダレジストをパターニングする。その後、例えば加熱などして、そのパターニングしたソルダレジスト２９８及び２９９を硬化させる。【００９１】
続けて、セパレータ２９１の端部及びセパレータ２９３の端部（図１４Ｂ中の破線参照）等に、穴明け及び外形加工をした後、図１５Ａに示すように、構造体３０１乃至３０３をフレキシブル基板１３から引きはがすようにして除去する。この際、セパレータ２９１及び２９３が配置されているので、分離が容易である。また、構造体３０１乃至３０３が他の部分から分離（除去）されるとき、導体パターン１５１は、フレキシブル基板１３のカバーレイ１３８及び１３９にプレスにより押しつけられているにすぎず、固着していない（図９Ｃ参照）ため、構造体３０１乃至３０３と共に、導体パターン１５１の一部（フレキシブル基板１３と接触する部分）も除去される。【００９２】
こうして、フレキシブル基板１３の中央部を露出させることで、フレキシブル基板１３の表裏（絶縁層の積層方向）に、フレキシブル基板１３が撓む（曲がる）ためのスペース（領域Ｒ１及びＲ２）が形成される。これにより、フレックスリジッド配線板１０を、そのフレキシブル基板１３の部分で、折り曲げることなどが可能になる。【００９３】
さらに、フレックスリジッド配線板１０の表面、特にリジッド基板１２の表面の、セパレータ２９３の部分（領域Ｒ３）には、凹部（キャビティ）３００が形成される。こうした凹部３００は、前述のように、例えば電子部品の収納等に用いることができる。【００９４】
除去された部分（領域Ｒ１乃至Ｒ３）に面する各絶縁層の先端部分には、例えば図１５Ｂ中に破線にて示すように、導体パターン１２４及び１５１、並びに導体パターン１２３が残存する。この残存した銅は、必要に応じて、図１５Ｃに示すように、例えばマスクエッチング（前処理、ラミネート、露光、現像、エッチング、剥膜等）により除去する。【００９５】
続けて、例えば化学金めっきにより、電極１７８、１７９を形成し、その後、外形加工、反り修正、通電検査、外観検査、及び最終検査を経て、先の図３に示したフレックスリジッド配線板１０が完成する。このフレックスリジッド配線板１０は、上述のように、リジッド基板１１及び１２のコア部（第１及び第２の絶縁層１１１及び１１３）の間にフレキシブル基板１３の端部が挟みこまれ、且つ、リジッド基板１１、１２の各ランドとフレキシブル基板１３の各接続パッドとがそれぞれめっき皮膜により接続された構造を有する。また、このフレックスリジッド配線板１０の表面には、凹部３００が形成されている。【００９６】
以上、本発明の一実施形態に係るフレックスリジッド配線板１０について説明したが、本発明は、上記実施形態に限定されるものではない。【００９７】
例えば図１６に示すように、凹部３００内に、電子部品を実装するための接続端子１８０を形成することで、電子部品の実装が容易になる。接続端子１８０は、例えば先の図１０Ｃ、図１０Ｄに示した工程において、導体１２０と共に形成する。図１６に示す例では、いわゆるフリップチップ接続により、電子部品５００（ＩＣチップ）を実装している。詳しくは、電子部品５００の電極５０１に設けられたＡｕバンプ５０２と、接続端子１８０とを、導電性接着剤５０３により電気的に接続し、その接続部分を絶縁樹脂５０４で覆っている。【００９８】
なお、こうした電子部品を実装するための電極や配線の材質等は、任意である。例えば図１７に示すように、導電粒子５０３ａを含有するＡＣＦ（Anisotropic Conductive Film）を用いて、電子部品５００と接続端子１８０とを電気的に接続するようにしてもよい。こうしたＡＣＦ接続であれば、位置合わせを容易にすることができる。また、例えばＡｕ−Ａｕ接続により、電子部品を実装するようにしてもよい。こうしたＡｕ−Ａｕ接続であれば、腐食に強い接続部を形成することができる。【００９９】
また接続方法も、フリップチップ接続に限られず任意である。例えば図１８Ａに示すように、ワイヤ５０３ｂを介して、ワイヤボンディングで電子部品を実装するようにしてもよい。また、例えば図１８Ｂに示すように、スプリング５０３ｃを介して、電子部品を実装するようにしてもよい。あるいは、コネクタにより、電子部品を実装するようにしてもよい。【０１００】
また、例えば図１９Ａに示すように、リジッド基板１２の表面だけでなく、リジッド基板１１の表面にも、凹部３００ａを形成するようにしてもよい。また、図１９Ｂに示すように、リジッド基板１１表面（絶縁層の積層方向の一端面）の凹部３００ａに加え、リジッド基板１２の表裏（絶縁層の積層方向の両端面）にそれぞれ凹部３００、３００ｂを形成するようにしてもよい。さらに、図１９Ｃに示すように、リジッド基板１２表裏の凹部３００及び３００ｂに加え、リジッド基板１１の表裏にも、それぞれ凹部３００ａ、３００ｃを形成するようにしてもよい。【０１０１】
凹部（窪み）は、上述したセパレータ２９３を用いる方法によらず、選択的なエッチング等によりその空間に対応した部分（領域Ｒ３）を除去して形成するようにしてもよい。ただし、セパレータ２９３を用いることで、深い凹部（窪み）も、容易に形成することができる。【０１０２】
上記実施形態において、各層の材質、サイズ、層数等は、任意に変更可能である。例えばプリプレグに代えて、ＲＣＦ（Resin Coated Cupper Foil）を用いることもできる。【０１０３】
また、例えば図２０に示すように、リジッド基板１１は、コア表裏の一方のみに導体（配線層）を有するものであってもよい（リジッド基板１２も同様）。【０１０４】
また、フレキシブル基板により、３つ以上のリジッド基板を接続するようにしてもよい。例えば図２１Ａ又は図２１Ｂに示すように、フレキシブル基板１０４、１０５を挟んで対向配置されるリジッド基板の組（対向リジッド基板）として、リジッド基板１０１とリジッド基板１０２とから構成される対向リジッド基板１００１、及び、リジッド基板１０１とリジッド基板１０３とから構成される対向リジッド基板１００２を備える構造としてもよい。リジッド基板１０２及び１０３は、共通のリジッド基板１０１に対向配置されている。図２１Ａの例では、対向リジッド基板１００１と対向リジッド基板１００２とが、互いに「９０°」の角度をもって配置されている。図２１Ｂの例では、対向リジッド基板１００１と対向リジッド基板１００２とが、互いに「１８０°」の角度をもって配置されている。こうした構造を有するフレックスリジッド配線板についても、それら３つのリジッド基板１０１乃至１０３のうち、少なくとも１つの基板の一方の主面又は表裏両面に少なくとも１つの凹部を設けることで、上述の効果に準ずる効果を得ることができる。また、３組以上の対向リジッド基板を備える構成としてもよい。【０１０５】
以上、本発明の実施形態について説明したが、設計上の都合やその他の要因によって必要となる様々な修正や組み合わせは、「請求項」に記載されている発明や「発明の実施の形態」に記載されている具体例に対応する発明の範囲に含まれると理解されるべきである。【０１０６】
本出願は、２００８年７月３０日に出願された米国特許仮出願第６１／０８４６８５号に基づく。本明細書中に、米国特許仮出願第６１／０８４６８５号の明細書、特許請求の範囲、図面全体を参照として取り込む。
【産業上の利用可能性】
【０１０７】
本発明は、一部がフレキシブル基板から構成された折り曲げ可能なフレックスリジッド配線板に適用可能である。
【図１Ａ】
2010013366.tif 000003
【図１Ｂ】
2010013366.tif 000004
【図２】
2010013366.tif 000005
【図３】
2010013366.tif 000006
【図４】
2010013366.tif 000007
【図５】
2010013366.tif 000008
【図６】
2010013366.tif 000009
【図７】
2010013366.tif 000010
【図８】
2010013366.tif 000011
【図９Ａ】
2010013366.tif 000012
【図９Ｂ】
2010013366.tif 000013
【図９Ｃ】
2010013366.tif 000014
【図９Ｄ】
2010013366.tif 000015
【図９Ｅ】
2010013366.tif 000016
【図９Ｆ】
2010013366.tif 000017
【図１０Ａ】
2010013366.tif 000018
【図１０Ｂ】
2010013366.tif 000019
【図１０Ｃ】
2010013366.tif 000020
【図１０Ｄ】
2010013366.tif 000021
【図１１】
2010013366.tif 000022
【図１２】
2010013366.tif 000023
【図１３Ａ】
2010013366.tif 000024
【図１３Ｂ】
2010013366.tif 000025
【図１３Ｃ】
2010013366.tif 000026
【図１３Ｄ】
2010013366.tif 000027
【図１４Ａ】
2010013366.tif 000028
【図１４Ｂ】
2010013366.tif 000029
【図１４Ｃ】
2010013366.tif 000030
【図１４Ｄ】
2010013366.tif 000031
【図１４Ｅ】
2010013366.tif 000032
【図１５Ａ】
2010013366.tif 000033
【図１５Ｂ】
2010013366.tif 000034
【図１５Ｃ】
2010013366.tif 000035
【図１６】
2010013366.tif 000036
【図１７】
2010013366.tif 000037
【図１８Ａ】
2010013366.tif 000038
【図１８Ｂ】
2010013366.tif 000039
【図１９Ａ】
2010013366.tif 000040
【図１９Ｂ】
2010013366.tif 000041
【図１９Ｃ】
2010013366.tif 000042
【図２０】
2010013366.tif 000043
【図２１Ａ】
2010013366.tif 000044
【図２１Ｂ】
2010013366.tif 000045
【国際調査報告】
2010013366.tif 000046
2010013366.tif 000047
2010013366.tif 000048
2010013366.tif 000049
2010013366.tif 000050
2010013366.tif 000051
2010013366.tif 000052
2010013366.tif 000053